【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
複数の第１の無線周波数（ＲＦ）モジュールと、各々が、第１の中間周波数（ＩＦ）信号を生成するためにＲＦ信号を処理するように構成され、ここにおいて、前記複数の第１のＲＦモジュールが、前記第１のＩＦ信号、局部発振器（ＬＯ）信号または制御信号のうちの少なくとも１つを搬送するための伝送線路を備える第１のインターフェースを介して互いに結合された、
ベースバンドモジュールであって、
前記第１のＩＦ信号、前記ＬＯ信号、および前記制御信号を処理することと、
第２のＩＦ信号を生成することと、
第２のインターフェースを介して前記第１のＲＦモジュールのうちの１つに前記第２のＩＦ信号、前記ＬＯ信号、および前記制御信号を与えることと
を行うように構成されたベースバンドモジュールと
を備える、装置。
【請求項２】
少なくとも１つの第２のＲＦモジュールをさらに備え、前記ベースバンドモジュールと前記第２のＲＦモジュールとが単一の集積回路（ＩＣ）として作製された、請求項１に記載の装置。
【請求項３】
前記第１および第２のＲＦ信号が少なくとも６０ＧＨｚ周波数帯域にある信号を備える、請求項１に記載の装置。
【請求項４】
前記制御信号が、前記第１のＲＦモジュールのうちの１つまたは複数によって、アクティブアンテナのスイッチング、アクティブアンテナを用いるビームフォーミング、またはアクティブアンテナの利得の制御のうちの少なくとも１つを制御するように構成された、請求項１に記載の装置。
【請求項５】
前記ベースバンドモジュールがまた、第３のインターフェースを介して前記第２のＲＦモジュールに前記ＬＯ信号または前記制御信号のうちの少なくとも１つを与えるように構成された、請求項４に記載の装置。
【請求項６】
前記複数の前記第１のＲＦモジュールが単一のＲＦ集積回路（ＲＦＩＣ）として作製された、請求項１に記載の装置。
【請求項７】
前記第１のＲＦモジュールのうちの少なくともいくつかが、前記第１のＲＦモジュールのうちの別の１つにマルチプレクスされた信号を転送するように構成された、請求項１に記載の装置。
【請求項８】
前記マルチプレクスされた信号が、前記ベースバンドモジュールによって生成された前記第２のＩＦ信号、または前記制御信号のうちの少なくとも１つを備える、請求項７に記載の装置。
【請求項９】
前記マルチプレクスされた信号が前記第１のＩＦ信号のうちの少なくとも１つを備える、請求項７に記載の装置。
【請求項１０】
前記ベースバンドモジュールが、拡大モードまたはダイバーシティモードのうちの少なくとも１つを備える動作モードで前記第１のＲＦモジュールを動作させるように構成され、ここにおいて、前記ダイバーシティモードでは、各第１のＲＦモジュールがそれぞれのアンテナアレイを独立して制御するように構成され、前記拡大モードでは、前記複数の第１のＲＦモジュールのすべてが、複数のアンテナアレイを単一のアンテナアレイとして働くように制御するように構成された、請求項１に記載の装置。
【請求項１１】
前記ベースバンドモジュールが、
前記ベースバンドモジュールから前記ＬＯ信号および前記制御信号を受信するように構成されたマスタＲＦモジュール、
別のＲＦモジュールに前記ＬＯ信号および前記制御信号を転送するように構成された中間スレーブＲＦモジュール、または
別のＲＦモジュールから前記ＬＯ信号および前記制御信号を受信するように構成されたエンドスレーブＲＦモジュール
のうちの少なくとも１つとして前記第１のＲＦモジュールの各々を動作させるように構成された、請求項１に記載の装置。
【請求項１２】
複数のアンテナアレイをさらに備え、ここにおいて、前記第１のＲＦモジュールの各々が、前記第１のＩＦ信号を生成するために、前記アンテナアレイの対応する１つから受信されたＲＦ信号を処理するように構成された、
請求項１に記載の装置。
【請求項１３】
前記第１のＲＦモジュールの各々が単一の集積回路（ＩＣ）中に組み込まれ、前記複数のアンテナアレイがプリント回路板（ＰＣＢ）上に印刷され、ここにおいて、前記ＩＣが前記ＰＣＢ上に取り付けられた、請求項１２に記載の装置。
【請求項１４】
前記ベースバンドモジュールが前記装置の第１の面にあり、
前記第１のＲＦモジュールのうちの少なくとも１つが前記装置の第２の面にある、請求項１２に記載の装置。
【請求項１５】
前記装置がラップトップコンピュータとして構成され、
前記第１の面が前記ラップトップコンピュータのベース面を備え、
前記第２の面が前記ラップトップコンピュータの蓋面を備える、
請求項１４に記載の装置。
【請求項１６】
前記ベースバンドモジュール、および前記第１のＲＦモジュールのうちの少なくとも１つが前記装置の同じ面の異なる側にある、
請求項１に記載の装置。
【請求項１７】
前記複数の第１のＲＦモジュールのうちの少なくとも１つに結合された１つまたは複数のアンテナをさらに備え、前記装置がタブレットまたはモバイルフォンとして構成された、請求項１６に記載の装置。
【請求項１８】
少なくとも１つのプロセッサであって、
局部発振器（ＬＯ）信号を生成することと、
制御信号を生成することと、
複数の第１のＲＦモジュールに与えられるべき１つまたは複数の第１の中間周波数（ＩＦ）信号を生成することと、
第２のＲＦモジュールに与えられるべき１つまたは複数の第２のＩＦ信号を生成することと
を行うように構成された少なくとも１つのプロセッサと、
前記複数の第１のＲＦモジュールに前記１つまたは複数の第１の（ＩＦ）信号、前記ＬＯ信号、および前記制御信号を与えるように構成された第１のインターフェースと
を備える、装置。
【請求項１９】
前記制御信号が、前記第１のＲＦモジュールのうちの１つまたは複数によって、アクティブアンテナのスイッチング、アクティブアンテナを用いるビームフォーミング、またはアクティブアンテナの利得の制御のうちの少なくとも１つを制御するように構成された、請求項１８に記載の装置。
【請求項２０】
前記第２のＲＦモジュールに前記ＬＯ信号および前記制御信号を与えるように構成された第２のインターフェースをさらに備える、請求項１８に記載の装置。
【請求項２１】
無線周波数（ＲＦ）信号を処理するための複数の第１の手段と、ＲＦ信号を処理するための各第１の手段が、第１の中間周波数（ＩＦ）信号を生成するためにＲＦ信号を処理するように構成され、ここにおいて、ＲＦ信号を処理するための前記複数の第１の手段が、前記第１のＩＦ信号、局部発振器（ＬＯ）信号または制御信号のうちの少なくとも１つを搬送するための伝送線路を備える第１のインターフェースを介して互いに結合された、
前記第１のＩＦ信号、前記ＬＯ信号、および前記制御信号を処理するための手段と、ここにおいて、前記第１のＩＦ信号、前記ＬＯ信号、および前記制御信号を処理するための前記手段が、第２のＩＦ信号を生成することと、第２のインターフェースを介して前記ＲＦ信号を処理するための前記第１の手段のうちの１つに前記第２のＩＦ信号、前記ＬＯ信号、および前記制御信号を与えることと、を行うように構成された、
を備える、装置。
【請求項２２】
ＲＦ信号を処理するための少なくとも１つの第２の手段をさらに備え、前記第１のＩＦ信号、前記ＬＯ信号、および前記制御信号を処理するための前記手段とＲＦ信号を処理するための前記第２の手段とが単一の集積回路（ＩＣ）として作製された、
請求項２１に記載の装置。
【請求項２３】
前記ＲＦ信号が少なくとも６０ＧＨｚ周波数帯域にある信号を備える、請求項２１に記載の装置。
【請求項２４】
前記制御信号が、ＲＦ信号を処理するための前記第１の手段のうちの１つまたは複数によって、アクティブアンテナのスイッチング、アクティブアンテナを用いるビームフォーミング、またはアクティブアンテナの利得の制御のうちの少なくとも１つを制御するように構成された、請求項２１に記載の装置。
【請求項２５】
前記第１のＩＦ信号、前記ＬＯ信号、および前記制御信号を処理するための前記手段がまた、第３のインターフェースを介してＲＦ信号を処理するための前記第２の手段に前記ＬＯ信号および前記制御信号のうちの少なくとも１つを与えるように構成された、請求項２４に記載の装置。
【請求項２６】
ＲＦ信号を処理するための前記複数の前記第１の手段が単一のＲＦ集積回路（ＲＦＩＣ）として作製された、請求項２１に記載の装置。
【請求項２７】
ＲＦ信号を処理するための前記第１の手段のうちの少なくともいくつかが、ＲＦ信号を処理するための前記第１の手段のうちの別の１つにマルチプレクスされた信号を転送するように構成された、請求項２１に記載の装置。
【請求項２８】
ＬＯ信号を生成することと、
制御信号を生成することと、
ＲＦ信号を処理するための複数の第１の手段に与えられるべき１つまたは複数の第１の中間周波数（ＩＦ）信号を生成することと、
ＲＦ信号を処理するための第２の手段に与えられるべき１つまたは複数の第２のＩＦ信号を生成することと
を行うための手段と、
ＲＦ信号を処理するための前記複数の第１の手段に前記第１の中間周波数（ＩＦ）信号、前記ＬＯ信号、および前記制御信号を与えるための第１の手段と
を備える、装置。
【請求項２９】
前記複数の第１のＲＦモジュールと前記少なくとも１つの第２のＲＦモジュールとに結合された複数のアンテナをさらに備え、ここにおいて、前記装置は、コンピューティングデバイスとして構成された、請求項１８に記載の装置。
【請求項３０】
前記複数の第１のＲＦモジュールと前記第２のＲＦモジュールとに結合された複数のアンテナをさらに備え、ここにおいて、前記装置は、コンピューティングデバイスとして構成された、請求項２１に記載の装置。